(57)【要約】【課題】遊技媒体収容箱から遊技機の受け皿へと遊技媒体を移し替える作業を容易にする遊技機及び遊技媒体収容箱を提供する。【解決手段】遊技媒体を貯留する上皿６と、該上皿６の上端縁に遊技媒体収容箱９を保持するための係合部１０を備えた遊技機１において、前記係合部１０は、遊技媒体収容箱９に備えた係合部１１と係合して該遊技媒体収容箱９を回動可能に保持し、前記遊技媒体収容箱９を回動させることにより、遊技媒体収容箱９に収容された遊技媒体を上皿６に誘導させることを特徴とする遊技機１とした。【選択図】    図１
2006130125.tif 000002
【特許請求の範囲】
【請求項１】
遊技媒体を貯留する受け皿と、
該受け皿若しくはその近傍に遊技媒体収容箱を保持するための係合部を備えた遊技機において、
前記係合部は、遊技媒体収容箱に備えた係合部と係合して該遊技媒体収容箱を回動可能に保持し、
前記遊技媒体収容箱を回動させることにより、遊技媒体収容箱に収容された遊技媒体を受け皿に誘導させることを特徴とする遊技機。
【請求項２】
遊技機側の係合部と遊技媒体収容箱側の係合部のいずれか一方が軸構成を有し、他方が前記軸構成を有した係合部と係合する軸受構成を有していることを特徴とする請求項１に記載の遊技機。
【請求項３】
遊技媒体を収容する収容箱本体と、遊技機の受け皿若しくはその近傍に設けられた遊技機側の係合部に係合させて前記収容箱本体を保持させるための収容箱側の係合部を備えた遊技媒体収容箱において、
前記収容箱側の係合部は、遊技機側の係合部に係合されて前記収容箱本体が回動可能に保持され、
前記遊技媒体収容箱を回動させることにより、遊技媒体収容箱に収容された遊技媒体を遊技機の受け皿に誘導させることを特徴とする遊技媒体収容箱。
【請求項４】
収容箱本体は、収容箱側の係合部が備えられている面の内側に、収容箱本体に収容された遊技媒体を遊技機の受け皿へ誘導するための遊技媒体排出誘導部が設けられていることを特徴とする請求項３に記載の遊技媒体収容箱。
【発明の詳細な説明】
【技術分野】
【０００１】
本発明は、遊技機の前面側に受け皿を備えた遊技機及び遊技媒体収容箱に関する。
【背景技術】
【０００２】
例えば弾球遊技機（いわゆるパチンコ機）や回胴式遊技機（パチスロ機）などの前面には、遊技に使用される遊技媒体（遊技球，メダル又はコインなど）を溜め置く受け皿（貯留皿）が備えられている。この受け皿には、遊技機から遊技媒体が払い出されるが、払い出された遊技媒体で満杯状態になると、店側で用意した遊技媒体収容箱（いわゆるドル箱といわれる上面開放のケース）に移し替えなければならない。
従来、遊技機の受け皿の上面前方に遊技媒体収容箱を係合保持させる係合手段（フック）を備えた先行技術が開示されており、このような係合手段を介して遊技媒体収容箱を遊技機の受け皿近傍に一体的に設置し、受け皿に溜まった遊技媒体を遊技媒体収容箱へと移し替える際の取り扱い性を向上させたものがある（例えば特許文献１参照）。
【特許文献１】特開２００３−２１０８２３号公報
【発明の開示】
【発明が解決しようとする課題】
【０００３】
ところで遊技機は、所定の入賞装置への入賞や大当たりなどの遊技者に有利な状態が所定時間続かないような場合には、受け皿に溜め置いた遊技媒体が少しずつ使われていくため、受け皿上の遊技媒体は少なくなっていく。従って、遊技者は遊技媒体収容箱に移し替えていた遊技媒体を、遊技媒体収容箱から受け皿へと移し替えることで遊技を続行する。
このような場合、通常、遊技者は、遊技媒体収容箱を手で持ち上げて受け皿上で傾けることで箱内の遊技媒体を適量流し込んでいたものである。
【０００４】
しかし、遊技媒体の収容された遊技媒体収容箱を持ち上げ、一定時間傾けた状態で支えつつ受け皿へと遊技媒体を移し替える作業は、かなりの労力を要し、女性客や年配客などには取り扱いが困難であった。また、遊技媒体の移し替え時に、遊技媒体収容箱を持つ手がふらつき遊技媒体収容箱から遊技媒体を移しこぼすこともあり、これでは獲得遊技媒体を損失する虞もあった。
なお、前記先行技術に開示されている技術手段では、遊技機の受け皿近傍に遊技媒体収容箱を設置できるため、遊技者は遊技媒体収容箱を手で支えることなく受け皿内に遊技媒体を移し替えることが可能ではある。
しかし、当該開示技術は、単に受け皿近傍に遊技媒体収容箱を設置するだけで、遊技媒体収容箱から受け皿へと遊技媒体を移し替える際の取り扱い性を考慮した思想はまったくなかったものであったため、受け皿近傍に遊技媒体収容箱を設置した状態のまま少量ずつの遊技媒体を手で掴んで移し替えるしかなかった。
このように、遊技媒体収容箱から遊技者が一々少量ずつの遊技媒体を手で掴んで移し替えていたのでは煩わしさに耐え得ない。
本発明は、このような問題を解決するためになされており、その目的とするところは、遊技媒体収容箱から遊技機の受け皿へと遊技媒体を移し替える作業を容易にする遊技機及び遊技媒体収容箱を提供することにある。
【課題を解決するための手段】
【０００５】
このような目的を達成するために、第１の発明は、遊技媒体を貯留する受け皿（上皿６）と、該受け皿（上皿６）若しくはその近傍に遊技媒体収容箱９を保持するための係合部１０を備えた遊技機１において、前記係合部１０は、遊技媒体収容箱９に備えた係合部１１と係合して該遊技媒体収容箱９を回動可能に保持し、前記遊技媒体収容箱９を回動させることにより、遊技媒体収容箱９に収容された遊技媒体を受け皿（上皿６）に誘導させることを特徴とする遊技機としたことである。
【０００６】
本発明によれば、遊技媒体収容箱９を遊技機１の受け皿（上皿６）若しくはその近傍に係合手段（遊技機側の係合部１０と収容箱側の係合部１１）を介して係合すると共に、係合手段が遊技媒体収容箱９を回動可能な構成としたため、遊技媒体収容箱９から受け皿（上皿６）への遊技媒体の移し替え作業において、遊技機側の係合部１０に遊技媒体収容箱９側の係合部１１を係合させて遊技媒体収容箱９を遊技機の受け皿（上皿６）若しくはその近傍に設置すると共に、前記係合部１０を支軸として遊技媒体収容箱９を受け皿（上皿６）方向へと回動させれば、遊技媒体収容箱９内の遊技媒体を受け皿（上皿６）へと容易に移し替えることができる。
すなわち遊技者は、遊技媒体収容箱９を本発明遊技機１の受け皿（上皿６）若しくはその近傍に係合させれば、その遊技媒体収容箱９を受け皿（上皿６）方向へと回動させるだけで、然程の労力を要さなくとも簡単に遊技媒体を移し替えることができるため、女性客や年配客などの遊技媒体収容箱９を支える力の弱い遊技者であっても簡単に遊技媒体の移し替えが行え、かつ移し替え作業時に遊技媒体収容箱９がふらつくこともないため、遊技媒体を受け皿（上皿６）へと確実に誘導し、移しこぼしなどもなく確実に移し替え作業ができる。
また、本発明によれば、遊技媒体収容箱９内の多くの遊技媒体を、遊技機１の受け皿（上皿６）内へと一度に流し込むように移し替えることが出来るため、移し替え作業の煩わしさも解消される。
【０００７】
第２の発明は、第１の発明において、遊技機１側の係合部１０と遊技媒体収容箱９側の係合部１１のいずれか一方が軸構成を有し、他方が前記軸構成を有した係合部と係合する軸受構成を有していることを特徴とする遊技機としたことである。
本発明によれば、軸と軸受からなる係合構成としたため、係合状態での遊技媒体収容箱９の回動作動が滑らかに行え、遊技媒体収容箱９から受け皿（上皿６）への遊技媒体の移し替え作業がさらに容易となる。
【０００８】
第３の発明は、遊技媒体を収容する収容箱本体９ｆと、遊技機１の受け皿（上皿６）若しくはその近傍に設けられた遊技機側の係合部１０に係合させて前記収容箱本体９ｆを保持させるための収容箱側の係合部１１を備えた遊技媒体収容箱９において、前記収容箱側の係合部１１は、遊技機側の係合部１０に係合されて前記収容箱本体９ｆが回動可能に保持され、前記遊技媒体収容箱９を回動させることにより、遊技媒体収容箱９に収容された遊技媒体を遊技機１の受け皿（上皿６）に誘導させることを特徴とする遊技媒体収容箱９としたことである。
本発明によれば、本発明の遊技媒体収容箱９から受け皿（上皿６）への遊技媒体の移し替え作業において、遊技媒体収容箱側の係合部１１を、遊技機側の係合部１０に係合させて遊技機１の受け皿（上皿６）若しくはその近傍に設置すると共に、前記係合部１０を支軸として受け皿（上皿６）方向へと回動させれば、遊技媒体収容箱９内の遊技媒体を受け皿（上皿６）へと容易に移し替えることができる。
すなわち遊技者は、本発明遊技媒体収容箱９を遊技機１の受け皿（上皿６）若しくはその近傍に係合させれば、その遊技媒体収容箱９を受け皿（上皿６）方向へと回動させるだけで、然程の労力を要さなくとも簡単に遊技媒体を移し替えることができるため、女性客や年配客などの遊技媒体収容箱９を支える力の弱い遊技者であっても簡単に遊技媒体の移し替えが行え、かつ移し替え作業時に遊技媒体収容箱９がふらつくこともないため、遊技媒体を受け皿（上皿６）へと確実に誘導し、移しこぼしなどもなく確実に移し替え作業ができる。
また、本発明によれば、遊技媒体収容箱９内の多くの遊技媒体を、遊技機１の受け皿（上皿６）内へと一度に流し込むように移し替えることが出来るため、移し替え作業の煩わしさも解消される。
【０００９】
第４の発明は、第３の発明において、収容箱本体９ｆは、収容箱側の係合部１１が備えられている面の内側に、収容箱本体９ｆに収容された遊技媒体を遊技機１の受け皿（上皿６）へ誘導するための遊技媒体排出誘導部１２が設けられていることを特徴とする遊技媒体収容箱９としたことである。
本発明によれば、遊技媒体収容箱９から遊技機１の受け皿（上皿６）へと遊技媒体を移し替える際に、遊技媒体排出誘導部１２が遊技媒体収容箱９内の遊技媒体を受け皿（上皿６）方向へと確実に導くことができ、移し変え作業時の遊技媒体の移しこぼしの虞がなくなる。
【発明の効果】
【００１０】
本発明によれば、遊技媒体収容箱から遊技機の受け皿へと遊技媒体を移し替える作業を容易にする遊技機及び遊技媒体収容箱を提供し得る。
【発明を実施するための最良の形態】
【００１１】
以下、本発明を実施するための形態について説明する。本実施形態では、本発明遊技機の一実施形態として、遊技媒体として遊技球を使用する弾球遊技機（パチンコ機）をもって説明するが、遊技媒体を貯留する受け皿を遊技機前面に備え持つ遊技機であれば全て本発明の対象で、例えばメダル又はコインなどを遊技媒体として使用する回胴式遊技機（パチスロ機）等が他の適用例として挙げられる。
図１乃至図３は実施例１、図４は実施例２、図５は実施例３、図６は実施例４を示す。
なお、本実施形態は本発明の一例にすぎずなんらこれに限定解釈されるものではなく、本発明の範囲内で設計変更可能である。
【実施例１】
【００１２】
図１は、本発明を適用した弾球遊技機（以下、単に遊技機ともいう。）１と遊技媒体収容箱９の概略斜視図で、遊技機１は、外枠２の前面に内枠（ベースドア）３が回動自在に軸支され、該内枠３の背後には図示しない表示装置が嵌装されていると共に、該内枠３の前面には遊技盤ベースに各種遊技部材（ガイドレール、入賞装置、遊技釘など弾球遊技機において遊技に必要な全ての部材を言う）を備えて構成された図示しない遊技盤が着脱自在に装着されている。そして該内枠３の前面には、ガラス板５を嵌めたフロント扉４が回動自在に軸支されている。
前記内枠３の前面下部には、遊技媒体（例えば本実施形態では遊技球）を受け止める上皿（受け皿）６、上皿６満杯時に球出口の内方で溢れた遊技球を受け止める下皿（受け皿）７、そして発射装置のハンドル８を備える。そして前記ハンドル８のレバー８ａを時計方向に回転させることにより、例えば内蔵する発射ソレノイドを作動させて遊技球を表側の遊技領域に打ち出すことができる。
【００１３】
前記上皿６は、図１に示すように、遊技機１の前方に水平方向に突設されており、本実施例では、上面の一部を開放した遊技球投入口６ａと、該投入口６ａと連通する遊技球貯留部６ｂとを備え、該遊技球貯留部６ｂは、遊技球払出口６ｃと連通すると共に、図示しない遊技球案内流路と連通しており、該遊技球案内流路を介して遊技球貯留部６ｂ内の遊技球を発射装置へと順次送り込む構造を有しており、当該上皿６若しくはその近傍に遊技媒体収容箱９を保持するための係合部（遊技機側の係合部ともいう）１０を備えている。
【００１４】
前記遊技機側の係合部１０は、図１及び図２（ａ）に示すように、上皿６の上端縁に間隔をあけて上方に突設した一対の支持部１０ａ，１０ａと、該支持部１０ａ，１０ａ上に架け渡された円柱状の支軸部１０ｂとで構成されている。支持部１０ａの形状・高さ及び支軸部１０ｂの軸方向長さは特に限定されるものではないが、後述する遊技媒体収容箱９に備えられる収容部側の係合部１１を係合可能なものであればよく本発明の範囲内で設計変更可能である。
【００１５】
遊技媒体収容箱９は、図１及び図２（ｂ）に示すように、正面壁９ａと背面壁９ｂと左右側面壁９ｃ，９ｄと底面９ｅを有し、上面を開放した平面視矩形状の中空体で、本実施例では開放上面に比して底面（下面）９ｅの面積が狭い断面視逆台形構造としている。そして、一方の側面９ｃの上端には前記遊技機側の係合部１０に係合する係合部（収容箱側の係合部ともいう）１１を備えている。なお、遊技媒体収容箱の全体形状は図示形態に限定されるものではなく、本発明の範囲内で設計変更可能である。
【００１６】
収容箱側の係合部１１は、図２（ｂ）にて正面視左側の側面壁９ｃの上縁全域を上方に立ち上げると共に外方に向けて湾曲形成することで、下方に向いた開口１１ａを有する係合溝１１ｂを備えた断面視略Ｕ字形状に形成されている。
収容箱側の係合部１１は、前記遊技機側の係合部１０を受けて係合可能な受け部構成を有するものであれば図示形態に何等限定解釈されるものではなく、開口１１ａ幅を拡開したもの、あるいは狭めたものであってもよく任意である。
なお、本実施例では、一方の側面壁９ｃにのみ係合部１１を備えるものとしているが、他方の側面壁９ｄに係合部１１を備えるものとしても良く、また、双方の側面壁９ｃ，９ｄに夫々係合部１１を備えるものとすることも可能で本発明の範囲内である。
なお、本実施例では、側面壁９ｃに係合部１１を備えた実施の形態を示したが、正面壁９ａや背面壁９ｂに係合部１１を備える形態を何等妨げるものではなく本発明の範囲内で設計変更可能である。
【００１７】
従って、本実施例によれば、遊技機１の上皿６の上端縁に備えた遊技機側の係合部１０に、遊技者が遊技媒体収容箱９の一方の側面壁９ｃ上縁に突設した収容箱側の係合部１１を係合させ、その後、前記係合部分を支点として、図３に示すように一方の側面壁９ｃ側が上皿６の上方に保持された状態で上皿６の遊技球貯留部６ｂ方向へと所定角度だけ遊技媒体収容箱９を旋回作動させる（図３にて符号Ｒで示す矢印は旋回方向を示す。）。
これにより、側面壁９ｃよりも他方の側面壁９ｄが上方に位置し、遊技媒体収容箱９が側面壁９ｃを下にした状態で傾斜するため、該収容箱９内に収容されている遊技媒体が上皿６の遊技球貯留部６ｂ方向へと流下供給される。
また、本実施例によれば、遊技機側の係合部１０が円柱状の支軸部１０ｂを有する軸構成を備え、かつ収容箱側の係合部１１が前記軸構成を備えた係合部１０と係合する断面視略Ｕ字形状の軸受構成を備えているため、軸と軸受との係合構造により遊技媒体収容箱９の回動作動が滑らかに行え、遊技媒体収容箱９から上皿６への遊技媒体の移し替え作業が容易である。
【００１８】
本実施例では、前記したとおりの係合構造を採用するが、遊技機側の係合部１０と収容箱側の係合部１１は、遊技機側の係合部１０と収容箱側の係合部１１が係合して遊技媒体収容箱９を回動可能に保持し、前記保持された状態のまま遊技媒体収容箱９を回動させることにより、遊技媒体収容箱９に収容された遊技媒体を上皿６の遊技球貯留部６ｂ方向に誘導させる係合構造を有しているものであればよく特に図示形態に限定解釈されるものではない。
「変形例１」
【００１９】
例えば、本実施例では、遊技機側の係合部１０を長尺円柱状の支軸構成とすると共に、該係合部１０と係合する収容箱側の係合部１１を長尺状の係合溝１１ｂを有する軸受構成とするが、収容箱側の係合部１１を断続した軸受構成とし（図示省略）、該断続軸受構成の係合部１１を、前記長尺円柱状の支軸構成を採用する遊技機側の係合部１０に係合させる形態を採用することも可能である。
「変形例２」
【００２０】
また、本実施例では、遊技機の上皿に遊技機側の係合部１０を備えた形態であるが、該係合部１１は、遊技機の上皿近傍、例えば上皿の後方に位置しているフロント扉４の前面下方から水平方向前方に突設した一対の支持部と、該支持部間にわたって架け渡された支軸部とで構成（図示省略）されているものであってもよく、このような構成を採用しても前記実施例と同様の作用効果を奏する。
「変形例３」
【００２１】
本実施例では、遊技機側の係合部に軸構成を有し、収容箱側の係合部に軸受構成を有する形態としたが、遊技機側の係合部を軸受構成とし、収容箱側の係合部を軸構成とする形態を採用することも可能である。
例えば、上皿の上端縁に間隔をあけて突設した左右の支持部上に、上方に向けて開口を設けた断面視略Ｕ字形状の軸受構成を有した係合部を備えると共に、遊技媒体収容箱９の側面壁９ｃ上方に、前記軸受構成を採用する遊技機側の係合部と係合する長尺円柱状の支軸部を備えた収容箱側の係合部１１を備えるものとする。
「変形例４」
【００２２】
また、図示はしないが、遊技機側の係合部１０を電気的に回転作動させるものとする構成を採用してもよい。すなわち、例えば、収容箱側の係合部１１の係合を契機に、遊技機側の係合部１０の回転作動スイッチ（接触スイッチなど）が入り、該係合部１０を所定角度回転作動させて、遊技媒体収容箱９を上皿６の遊技球貯留部６ｂ方向へと強制的に旋回作動させる。このような構成を採用すれば、遊技者は遊技媒体収容箱の収容箱側の係合部１１を遊技機側の係合部１０に係合させ、遊技媒体収容箱９を軽く押さえておけばよいため、遊技媒体の上皿への移し替え作業が大変楽である。
「変形例５」
【００２３】
本実施例では、上皿６の上端縁に遊技機側の係合部１０を備えているが、上皿６と下皿７の双方に夫々係合部を備えることも可能である。
【実施例２】
【００２４】
図４は本発明の実施例２を示し、本実施例では、遊技媒体収容箱９を構成する収容箱本体９ｆにおいて実施例１と相違する。
【００２５】
本実施例において、収容箱本体９ｆは、収容箱側の係合部１１が備えられている側面壁９ｃの内側面に、収容箱本体９ｆに収容された遊技媒体を、遊技機１の上皿６へ誘導するための遊技媒体排出誘導部１２が設けられている。
【００２６】
遊技媒体排出誘導部１２は、例えば、側面壁９ｃの内側面の下端（底面９ｅとの境界）から係合部１１の外周面にわたって連続して設けられた複数本の凹溝１２ａで構成されており、該凹溝１２ａは、本実施例では遊技媒体としての遊技球が収容箱本体９ｆから外方へと案内可能な溝形状を有していれば良く特に限定解釈はされない。
本実施例によれば、遊技媒体収容箱９から遊技機の上皿６へと遊技媒体を移し替える際に、遊技媒体排出誘導部１２の各凹溝１２ａが遊技媒体収容箱９内の遊技媒体を上皿６方向へと確実に導くことができる。
なお、遊技機１の構造、遊技媒体収容箱９のその他の構造及び作用効果にあっては、前記実施例１の構造及び作用効果を採用可能であるためその説明は省略する。
【実施例３】
【００２７】
図５は本発明の実施例３を示し、本実施例は、遊技媒体排出誘導部１２の他の実施の一例を示す。
【００２８】
本実施例の遊技媒体排出誘導部１２は、実施例２の遊技媒体排出誘導部１２と異なり、正面壁９ａと背面壁９ｂから夫々係合部１１の上方に向けて延設した誘導壁部１２ｂを備えて構成されている。
誘導壁部１２ｂは、本実施例では遊技媒体としての遊技球が収容箱本体９ｆから遊技機１の上皿６方向へと案内する際にこぼれ落ちないようにガイド可能な高さを有していれば良く特に限定解釈はされない。
本実施例によれば、遊技媒体収容箱９から遊技機１の上皿６へと遊技媒体を移し替える際に、遊技媒体排出誘導部１２の各誘導壁部１２ｂが遊技媒体収容箱９内の遊技媒体を上皿６方向へと確実に導くことができる。
なお、遊技機１の構造、遊技媒体収容箱９のその他の構造及び作用効果にあっては、前記実施例１の構造及び作用効果を採用可能であるためその説明は省略する。
【実施例４】
【００２９】
図６は本発明の実施例４を示し、本実施例は、実施例２にて開示した凹溝１２ａと、実施例３にて開示した誘導壁部１２ｂの双方を備えて遊技媒体排出誘導部１２を構成した実施の一例である。なお、本実施例の作用効果は実施例２と実施例３の作用効果を併せ持つもので遊技媒体の確実な誘導効果が得られる。
なお、遊技機１の構造、遊技媒体収容箱９のその他の構造及び作用効果にあっては、前記実施例１乃至３の構造及び作用効果を採用可能であるためその説明は省略する。
【図面の簡単な説明】
【００３０】
【図１】本発明遊技機と遊技媒体収容箱の一実施例を示す概略斜視図。
【図２】（ａ）は遊技機側の係合部の一例を示す概略斜視図、（ｂ）は遊技媒体収容箱の一例を示す概略斜視図。
【図３】遊技媒体収容箱の係合部を遊技機上皿の係合部に係合保持させた状態で、該遊技媒体収容箱を浅海作動させている状態を示す概略断面図。
【図４】実施例２の遊技媒体収容箱の概略斜視図。
【図５】実施例３の遊技媒体収容箱の概略断面図。
【図６】実施例４の遊技媒体収容箱の概略斜視図。
【符号の説明】
【００３１】
１  遊技機
６  上皿
９  遊技媒体収容箱
１０  遊技機側の係合部
１１  収容箱側の係合部
１２  遊技媒体排出誘導部
【図１】
2006130125.tif 000003
【図２】
2006130125.tif 000004
【図３】
2006130125.tif 000005
【図４】
2006130125.tif 000006
【図５】
2006130125.tif 000007
【図６】
2006130125.tif 000008